(57)【要約】【課題】挿入シートへの画像形成が可能で、かつページ順を変えることなく挿入シートをシート間に挿入することができる画像形成装置を提供する。【解決手段】画像形成部６２により画像が形成されたシートの間に挿入される前に、挿入シートＰＡ，ＰＢ，ＰＣのうち所定の挿入シートに画像形成部６２により画像を形成する。そして、画像形成部６２の上流に、シートの間に挿入される前に、画像形成部６２により画像を形成する挿入シートＰＡ，ＰＢ，ＰＣのうち所定の挿入シートを選択的に反転させて画像形成部６２に搬送する反転部２０４を設け、制御手段１５１は設定手段１５０による設定に基づいて反転部２０４による挿入シートＰＡ，ＰＢ，ＰＣの反転動作を制御する。【選択図】　　　図１
2004026323.tif 000002
【特許請求の範囲】
【請求項１】
シートに画像を形成する画像形成部と、前記画像形成部に供給するシートを収納するシート収納部と、前記シート収納部と前記画像形成部との間に設け、シートを反転するための反転部と、を備え、
前記シート収納部から送り出されるシートを前記反転部で選択的に反転させることを特徴とする画像形成装置。
【請求項２】
前記画像形成部により画像が形成されたシートの間に挿入される挿入シートを収納する挿入シート収納部を備え、
前記挿入シート収納部から前記画像形成部に挿入シートを供給するための搬送パスを設け、前記反転部を前記搬送パス中に設けたことを特徴とする請求項１に記載の画像形成装置。
【請求項３】
シートに画像を形成する画像形成部と、前記画像形成部により画像が形成されたシートの間に挿入される複数種類のシートをそれぞれ収納する複数の挿入シート収納部とを備え、シート間に挿入する前に挿入シートに対して前記画像形成部により画像を形成するようにした画像形成装置であって、
前記画像形成部の上流に設けられ、前記画像形成部により画像を形成する挿入シートのうち所定の挿入シートを選択的に反転させて前記画像形成部に搬送する反転部と、
前記挿入シートのうち所定の挿入シートを反転させるよう設定する設定手段と、
上記設定手段による設定に基づいて前記反転部による挿入シートの反転動作を制御する制御手段と、
を備えたことを特徴とする画像形成装置。
【請求項４】
前記画像形成部により画像を形成しない挿入シートが前記画像形成部を通過する際には、前記画像形成部による画像形成動作を制限するようにしたことを特徴とする請求項３記載の画像形成装置。
【請求項５】
前記画像形成部により画像を形成しない挿入シートが前記画像形成部を通過しないように構成したことを特徴とする請求項３記載の画像形成装置。
【請求項６】
前記設定手段により前記挿入シート収納部に収納した挿入シートの出力時のページ順情報を設定することを特徴とする請求項３乃至５のいずれか１項に記載の画像形成装置。
【請求項７】
前記反転部を前記画像形成部へシートを搬送する搬送パスに設けたことを特徴とする請求項４記載の画像形成装置。
【請求項８】
前記画像形成部の下流に前記複数の挿入シート収納部を設け、かつ前記画像形成部と前記複数の挿入シート収納部との間に前記反転部を設け、該反転部と前記画像形成部へシートを搬送する搬送パスとを連結させたことを特徴とする請求項５記載の画像形成装置。
【請求項９】
前記画像形成部により画像形成されたシート及び前記挿入シートを所定のページ順で排出・積載する排紙積載手段を備えたことを特徴とする請求項１乃至８のいずれか１項に記載の画像形成装置。
【請求項１０】
上記反転部を前記画像形成部及び前記複数の挿入シート収納部に分離着脱可能に設けたことを特徴とする請求項１乃至９のいずれか１項に記載の画像形成装置。
【請求項１１】
前記挿入シートを挿入する手差し給紙部を備えたことを特徴とする請求項１乃至１０のいずれか１項に記載の画像形成装置。
【発明の詳細な説明】
【０００１】
【発明の属する技術分野】
本発明は、画像形成装置に関し、特に画像形成部で画像形成したシートの間にシートを挿入するように構成されたものに関する。
【０００２】
【従来の技術】
従来、画像形成装置の一例である複写機において、例えばカラー原稿と白黒原稿のように複数種類の原稿が混在した１組の原稿束を複写する場合、ユーザはすべての原稿をカラー複写装置で複写することで、カラー／白黒混在原稿の複写物を得ることができる。しかし、カラー複写装置での画像形成処理は、白黒複写装置におけるそれよりも時間がかかるため、白黒原稿まで一律にカラー複写装置で処理することは効率が悪く、白黒原稿だけは白黒複写装置で複写処理をしたいという要求がある。
【０００３】
そこで、カラー／白黒混在原稿を複写する際、カラー原稿はカラー複写装置で、白黒原稿は白黒複写装置でというように、別々に複写処理することが考えられる。
【０００４】
しかしながら、このように別々に複写処理を行うようにした場合、ユーザがカラー／白黒混在原稿をカラー原稿と白黒原稿とに事前に分けて複写しなければならず、また複写後は、分けたカラー原稿と白黒原稿とを元の状態に戻さなければならない。このため、特に頁番号が付されていない場合や原稿枚数が多い場合は手間がかかる。
【０００５】
さらに、複写物については、カラー複写装置で複写したシートと白黒複写装置で複写したシートとを元の原稿の通りの順番にまとめるために、例えば白黒複写装置で複写したシートにカラー複写装置で複写したシートをインサート（中差し、挿入）しなければならない。これも、元の原稿の順番を確認しつつ行う作業であるため、煩雑である。
【０００６】
このように、カラー／白黒混在原稿をカラー複写装置と白黒複写装置で別々に複写処理する手法では、ユーザが行うべき作業がきわめて複雑で間違えやすく、手間がかかるという問題があった。
【０００７】
そこで、このような問題を解消するため複数の複写部、例えばカラー複写部と白黒複写部とを備えると共に、インサータトレイを有しているインサータを備え、これらの組み合わせによって混在原稿を複写処理するようにした複写機が提案されている。なお、このインサータトレイは一般に、複写部に設けられた画像形成部で画像形成したシートの間に挿入するシートを、画像形成部をバイパスして搬送可能な給紙トレイとして構成される。
【０００８】
そして、このようなインサータトレイを有しているインサータを備えた複写機（画像形成装置）として、例えば特開２００１−１７１８９４号公報に示されたの構成のものがある。
【０００９】
図７は、このような従来の複写機（画像形成装置）の全体構成を示す断面図であり、この複写機１０００は、読取部１０１（原稿読み取り手段）、プリンタ部１０２、シート処理部１０３のほか、プリンタ部１０２及びシート処理部１０３に対する動作設定、設定内容の確認等を行うための操作部４０を備えている。
【００１０】
読取部１０１は、原稿積載トレイ５０にセットされた原稿Ｐを原稿読み取り位置まで給送し、原稿読み取り位置にて原稿Ｐの読み取り処理を行い、読み取った原稿Ｐを排紙位置まで搬送する自動原稿給送部５１と、読み取り位置に給送された原稿台ガラス７８上の原稿Ｐを照射するランプ７９と、画像読み取り用の３ＣＣＤラインセンサ７６（以下、ＣＣＤ７６という）と、原稿Ｐからの反射光をＣＣＤ７６に導く反射ミラー７２，７３，７４と、原稿Ｐからの反射光を結像するレンズ７５とを有している。
【００１１】
ＣＣＤ７６は、Ｒ（レッド）、Ｇ（グリーン）、Ｂ（ブルー）のアナログ色信号を独立して得るためのカラーラインセンサ及び各色毎に増幅するためのアンプ、アナログ色信号を８ビットのデジタル信号に変換するためのＡ／Ｄ変換器を有している（いずれも図示せず）。そして、このＣＣＤ７６からの出力信号は、画像信号制御部７７に入力される。
【００１２】
なお、原稿積載トレイ５０には、原稿Ｐがユーザによりフェイスアップの状態でセットされ、原稿積載トレイ５０にセットされた複数の原稿Ｐは、その最上部の原稿Ｐから順次、読取部１０１によって読み取り処理がされる。
【００１３】
プリンタ部１０２は、異なるサイズの複数種類のシートＳ（Ｓ１、Ｓ２）を積載した複数の収納部５３，５４と、シートＳを給紙する給紙部５５，５６を有している。なお、給紙部５５，５６から給紙されたシートＳはシート搬送路５７を介してシート搬送路６０へと搬送される。
【００１４】
またプリンタ部１０２は、読取部１０１にて読み取られた原稿Ｐの画像情報に基づきレーザ光を走査して感光体６２ａ上に潜像を形成するレーザスキャナ６１と、感光体６２ａ上にトナー画像を形成し、このトナー画像をシートＳに転写してシートＳに画像を形成する画像形成部６２とを有している。なお、画像情報は、プリンタ部１０２を図示しないネットワークと接続した場合には、ネットワーク上のパソコンや他の情報処理手段で作成されたものを用いる。
【００１５】
画像形成部６２によって画像が形成されたシートＳは、搬送ベルト６３、シート上のトナー像を軟化溶融して定着させる定着ローラ６４及び搬送ローラ６５によりシート処理部１０３の搬送路へと搬送される。
【００１６】
シート処理部（フィニッシャ）１０３は、プリンタ部１０２から給送されたシートＳを搬送するための入り口ローラ１と、シートＳまたは後述するインサート紙Ｉを搬送するための搬送ローラ２，３とシート検知センサ３１とを備えている。ここで、シート検知センサ３１は、搬送ローラ２から搬送されてくるシートＳまたはインサート紙Ｉの通過を入口側で検知するためのものである。
【００１７】
シート処理部１０３はさらに、搬送ローラ３から搬送されてくるシートＳまたはインサート紙Ｉの後端付近に孔あけを行うパンチユニット５０と、搬送路上に配置される比較的大口径のローラ（以下、バッファローラという）５と、バッファローラ５の外周に配され、シートＳをバッファローラ５のロール面に押圧して搬送する押し付けコロ１２，１３，１４と、第１及び第２の切り換えフラッパ１１，１０と、シート検知センサ３３，３２とを備えている。
【００１８】
ここで、第１の切り換えフラッパ１１は、ノンソートパス３５とソートパス３６とを選択的に切り換えるものであり、第２の切り換えフラッパ１０は、シートＳまたはインサート紙Ｉを一時的に貯えるためのバッファパス２３と、ソートパス３６とを切り換えるものである。また、シート検知センサ３３は、ノンソートパス３５内のシートＳまたはインサート紙Ｉを検知するものであり、シート検知センサ３２は、バッファパス２３内のシートＳまたはインサート紙Ｉを検知するものである。
【００１９】
シート処理部１０３はさらに、ソートパス３６の経路に設けられた搬送ローラ６と、第１の排出ローラ７と、第２の排出ローラ９と、処理トレイユニット８４とを備えている。ここで、処理トレイユニット８４は、シートＳまたはインサート紙Ｉを一時的に集積し、集積されたシートＳまたはインサート紙Ｉを整合し、ステイプルユニット８０によってステイプル処理を行うために設けられた中間トレイ（以下、処理トレイという）８２と、この処理トレイ８２に積載されたシートＳまたはインサート紙Ｉを整合する整合板８８と、下排出ローラ８３ｂと上排出ローラ８３ａとから成る排出ローラ８３とを有している。
【００２０】
なお、下排出ローラ８３ｂは、処理トレイ８２の排出端側に固定配置されるものであり、上排出ローラ８３ａは、揺動ガイド８１に支持され、この揺動ガイド８１が閉じ位置に来たとき、下排紙ローラ８３ｂに加圧的に当接して処理トレイ８２上のシートＳまたはインサート紙Ｉをスタックトレイ８６上に束排出するためのものである。
【００２１】
第１の排出ローラ７は、ソートパス３６に配され、シートＳまたはインサート紙Ｉを処理トレイ８２を介してスタックトレイ８６上に排出するためのものであり、第２の排出ローラ９は、ノンソートパス３５に配され、シートＳまたはインサート紙Ｉをサンプルトレイ８５上に排出するためのものである。
【００２２】
なお、８７は束積載ガイドであり、この束積載ガイド８７は、スタックトレイ８６、サンプルトレイ８５上に積載されるシート束の後端縁（束排出方向に対しての後端縁）を突き当て支持するためのガイドであり、ここではシート処理装置１０３の外装を兼ねている。
【００２３】
シート処理部１０３はまたさらに、インサータトレイ２０と、給紙ローラ２１と、分離ローラ２２とを有し、インサート処理を行うインサータ１０４（１０４Ａ〜１０４Ｃ）を備えている。
【００２４】
ここで、このインサート処理は、インサータ１０４のインサータトレイ２０にセットされたシートＩ（以下、インサート紙Ｉという）をプリンタ部１０２を通さずに（バイパスして）サンプルトレイ８５またはスタックトレイ８６のいずれかに給送する処理であり、プリンタ部１０２からシート処理部１０３に送り込まれるシートＳとシートＳとの間にインサート紙Ｉをインサート（中差し）、即ち挿入する処理である。
【００２５】
なお、インサータトレイ２０は、挿入すべきインサート紙Ｉを積載するためのものであり、各インサータトレイ２０にそれぞれインサータ１０４Ａ〜１０４Ｃが対応しており、各インサータトレイ２０はそれぞれ独立してインサート紙Ｉを積載することができる。なお、各インサータ１０４は同様に構成される。
【００２６】
また給紙ローラ２１は、インサート紙Ｉを給送するためのローラであり、この給紙ローラ２１は、通常はインサート紙Ｉから離間した位置で待機しており、給紙すべきタイミングで給紙ソレノイド（ピックアップソレノイド）１１１（駆動手段）がオンされることによってインサート紙Ｉに着地するようになっている。なお、給紙ローラ２１の近傍にはマーク読み取りセンサ４２（所定情報読み取り手段、所定の読み取りセンサ）が設けられている。
【００２７】
分離ローラ２２は給紙ローラ２１から給送されたインサート紙Ｉを分離するためのローラであり、この分離ローラ２２により分離されたインサート紙Ｉは、搬送ローラ２３，２４，２５，２６を介して搬送ローラ２に搬送される。
【００２８】
なお、同図において、４１はインサータパスセンサであり、このインサータパスセンサ４１はインサート紙Ｉの搬送路上であって搬送ローラ２５と搬送ローラ２６との間に設けられ、インサート紙Ｉの後端が通過したことを検知するためのものである。また、２７はインサート紙セット検知センサ（積載有無検知手段）であり、このインサート紙セット検知センサ２７は、インサータトレイ２０にインサート紙Ｉがセットされているか否かを検知するためのものである。
【００２９】
そして、このような構成の複写機１０００において、画像形成動作を行う場合には、まず読取部１０１の原稿積載トレイ５０に原稿Ｐをセットし、もしくはネットワークからのデータを取り込むよう、操作部４０から複写機１０００に対してユーザが所望の設定を行い、動作開始を指定することで、画像形成処理動作が開始される。
【００３０】
次に、ユーザからの指示に基づき、読取部１０１で原稿Ｐの読み取り、或はネットワークからのデータ取り込みを行うと同時に、プリンタ部１０２では設定された収納部５３，５４からシートＳの給送を開始し、シート搬送路５７，６０を介して画像形成部６２に搬送する。また、操作部４０にて設定された分類動作に必要なデータと動作開始信号とをシート処理部１０３に対して送出し、シート処理部１０３の動作を開始させる。
【００３１】
次に、読取部１０１によって読み取られた画像情報に基づいて、画像形成部６２に搬送されたシートＳ上にトナー画像を転写し、この後、定着部（定着ローラ６４）を通過させてトナー画像をシートＳ上に定着させる。なお、この後、このシートＳはシート処理装置１０３に搬送され、インサート紙Ｉのインサート処理及びパンチ、シートの分類、ステイプルの処理が行われる。以上の工程を経ることで、所定のページ順でインサート紙Ｉと画像形成が完了したシートＳのセットが得られる。
【００３２】
ところで、インサータ１０４のインサータトレイ２０には、インサート紙Ｉがユーザによりフェイスアップの状態でセットされ、セットされた複数のインサート紙Ｉは、その最上部のインサート紙Ｉから順次、給紙ローラ２１により給送される。この後、インサート紙Ｉは、搬送ローラ２３，２４，２５を介し、そのままサンプルトレイ８５またはスタックトレイ８６に搬送されるので、排出時にはフェイスダウン状態となる。
【００３３】
一方、プリンタ部１０２では、画像形成処理がなされたシートＳをシート処理部１０３にフェイスダウンの状態で送り込む場合は、シートＳを搬送ローラ６６側へ一旦送り込んだ後にスイッチバックさせてシート処理部１０３へ搬送する。また、シートＳをシート処理部１０３にフェイスアップの状態で送り込む場合は、シートＳを搬送ローラ６６側へ送り込むことなく、即ちスイッチバックをさせることなくそのままシート処理部１０３に搬送するようにしている。
【００３４】
したがって、インサート処理を行う場合には、上述のようにフェイスダウンの状態で排出されることから、シートＳのフェースの向きをインサート紙Ｉに合わせるべく、シートＳをスイッチバックさせてシート処理部１０３に搬送し、そのままサンプルトレイ８５またはスタックトレイ８６にフェイスダウンの状態で排出されるようにする。
【００３５】
【発明が解決しようとする課題】
ところで、上記のような従来の複写機（画像形成装置）においては、セットしたインサート紙の片面に画像形成を行う工程を追加する場合、たとえばカラー表紙の裏面に白黒目次を追加するような時、インサート紙をインサータにセットする前に白黒複写機で挿入紙の裏面に画像形成を完了させておく必要があった。
【００３６】
これは、画像形成の作業工程がその分必要となり、作業効率、使い勝手を向上する上で、改善の余地があった。
【００３７】
そこで、本発明はこのような現状に鑑みてなされたものであり、インサート紙（挿入シート）への画像形成が可能で、かつページ順を変えることなくインサート紙（挿入シート）をシート間に挿入することができる画像形成装置を提供することを目的とするものである。
【００３８】
【課題を解決するための手段】
本発明は、シートに画像を形成する画像形成部と、前記画像形成部に供給するシートを収納するシート収納部と、前記シート収納部と前記画像形成部との間に設け、シートを反転するための反転部と、を備え、前記シート収納部から送り出されるシートを前記反転部で選択的に反転させることを特徴とするものである。
【００３９】
本発明は、前記画像形成部により画像が形成されたシートの間に挿入される挿入シートを収納する挿入シート収納部を備え、前記挿入シート収納部から前記画像形成部に挿入シートを供給するための搬送パスを設け、前記反転部を前記搬送パス中に設けたことを特徴とするものである。
【００４０】
本発明は、シートに画像を形成する画像形成部と、前記画像形成部により画像が形成されたシートの間に挿入される複数種類のシートをそれぞれ収納する複数の挿入シート収納部とを備え、シート間に挿入する前に挿入シートに対して前記画像形成部により画像を形成するようにした画像形成装置であって、前記画像形成部の上流に設けられ、前記画像形成部により画像を形成する挿入シートのうち所定の挿入シートを選択的に反転させて前記画像形成部に搬送する反転部と、前記挿入シートのうち所定の挿入シートを反転させるよう設定する設定手段と、上記設定手段による設定に基づいて前記反転部による挿入シートの反転動作を制御する制御手段と、を備えたことを特徴とするものである。
【００４１】
また本発明は、前記画像形成部により画像を形成しない挿入シートが前記画像形成部を通過する際には、前記画像形成部による画像形成動作を制限するようにしたことを特徴とするものである。
【００４２】
また本発明は、前記画像形成部により画像を形成しない挿入シートが前記画像形成部を通過しないように構成したことを特徴とするものである。
【００４３】
また本発明は、前記設定手段により前記挿入シート収納部に収納した挿入シートの出力時のページ順情報を設定することを特徴とするものである。
【００４４】
また本発明は、前記反転部を前記画像形成部へシートを搬送する搬送パスに設けたことを特徴とするものである。
【００４５】
また本発明は、前記画像形成部の下流に前記複数の挿入シート収納部を設け、かつ前記画像形成部と前記複数の挿入シート収納部との間に前記反転部を設け、該反転部と前記画像形成部へシートを搬送する搬送パスとを連結させたことを特徴とするものである。
【００４６】
また本発明は、前記画像形成部により画像形成されたシート及び前記挿入シートを所定のページ順で排出・積載する排紙積載手段を備えたことを特徴とするものである。
【００４７】
また本発明は、上記反転部を前記画像形成部及び前記複数の挿入シート収納部に分離着脱可能に設けたことを特徴とするものである。
【００４８】
また本発明は、前記挿入シートを挿入する手差し給紙部を備えたことを特徴とするものである。
【００４９】
【発明の実施の形態】
以下、本発明の実施の形態の画像形成装置を図に基づいて説明する。なお、本発明は複写機、ファクシミリ、プリンタ、これらの複合機はもとより、記録紙等のシートに画像を印刷する印刷機等にも適用することができる。
【００５０】
図１は本発明の第１の実施の形態に係る画像形成装置の一例である複写機の概略構成を示す図である。なお、図７と同一符号は、同一又は相当部分を示している。
【００５１】
同図において、１００１は複写機であり、この複写機１００１は、読取部１０１（原稿読み取り手段）、プリンタ部１０２、排紙積載手段であるシート処理部１０３、シート束に挿入する表紙や合紙を収納するインサータ１０４Ａ〜１０４Ｄを備えたインサータ部１０４のほか、プリンタ部１０２及びシート処理部１０３に対する動作設定・設定内容の確認等を行うための設定手段であるところの操作部１５０、及び画像形成装置１００１全体のシステム動作の制御を電気信号等で行う制御手段１５１を備えている。
【００５２】
なお、本実施の形態において、プリンタ部１０２、シート処理部１０３、インサータ部１０４は分離可能に形成されている。また、インサータ部１０４とプリンタ部１０２の間にはインサータ部１０４から供給されるインサート紙（挿入シート）をそのまま通過させる、或は表裏を反転させてプリンタ部１０２へ搬送するための反転部を構成する反転手段２０４が設けられており、このプリンタ部１０２の上流に配された反転手段２０４は反転パス２０２と通過パス２０３と反転ローラ２０５とを備えている。
【００５３】
インサータ部１０４の右側面には、シートＳ、或はインサート紙をインサータ部１０４内の搬送パス１０５に供給する手差しトレイ３０１が設けられている。また、インサータ部１０４には、手差しトレイ３０１から手差しされたシートＳ、或はインサート紙を搬送パス１０５に引き込むための引き込みローラ１０６’、シートＳ、或はインサート紙を収納する挿入シート収納部であるインサータ１０４Ａ〜１０４Ｄが搬送パス１０５の上下に配置されている。
【００５４】
なお、１０７はインサータ１０４Ａ〜１０４Ｄに収納されたインサート紙を搬送パス１０５に搬送するための中継パスである。また、１０６は搬送パス１０５の左端に設けられ、シートＳ、或はインサート紙をインサータ１０４Ａ〜１０４Ｄから排出するための排出ローラである。
【００５５】
プリンタ部１０２には、シートＳ、或はインサート紙を画像形成部６２を通るシート搬送路６０に引き込むための引き込みローラ６５’と、シートＳ（Ｓ１，Ｓ２）を収納するシート収納手段である収納部５３，５４と、シートＳ、或はインサート紙Ｉを一旦引き込んだ後にスイッチバックさせてプリンタ部１０２外に搬送したり、スイッチバックさせたシートＳ、或はインサート紙を両面印刷するため両面搬送パス６６’から再度画像形成部６２に搬送する搬送ローラ６６と、シートＳ、或はインサート紙をプリンタ部１０２から排出する搬送ローラ６５が配置されている。
【００５６】
プリンタ部１０２の上部には、読取部１０１と原稿積載トレイ５０が配されており、プリンタ部１０２の左側にはシート処理部１０３が配されている。なお、同図で示すシート処理部１０３は、図７で説明した従来のシート処理部１０３からインサータ部に関連した構成を除いた状態を示している。
【００５７】
次に、このように構成された複写機１００１の画像形成動作及び製本動作について説明する。
【００５８】
まず、画像形成動作を行う前に、収納部５３，５４に画像形成される前のシートＳ１，Ｓ２をセットし、一番上のインサータ１０４Ａにカラーコピーされ、裏面に目次を印刷する表紙ＰＡをフェイスアップになるようにセットする。また、上から２番目のインサータ１０４Ｂには裏面が印刷済で表面に後書き等を追加印刷する裏表紙ＰＢをフェイスアップでセットし、上から３番目のインサータ１０４Ｃには印刷済の合紙ＰＣを、一番下のインサータ１０４Ｄには未印刷のシートＳをセットする。
【００５９】
次に、インサータ１０４Ａにセットした表紙ＰＡの裏面（下面）にコピーする目次等の原稿Ｐを、読取部１０１の原稿積載トレイ５０にセットするか、ネットワークからのデータを取り込むよう操作部１５０から複写機１００１に対してユーザが所望の設定を行う。
【００６０】
なお、このとき、ユーザは収納部５３，５４とインサータ１０４Ａ〜１０４ＤにセットしたシートＳ１，Ｓ２、或はインサート紙について、それぞれ印刷面が上面、下面、両面、或は印刷不用か、を個別に操作部１５０からシステムの制御手段１５１に入力する。しかる後にユーザーが操作部１５０から動作開始を指定することで、画像形成処理動作が開始される。
【００６１】
次に、このときの動作を図２に示すフローチャートに沿って説明する。
【００６２】
（表紙印刷）
まず、ユーザからの指示に基づき、インサータ１０４Ａの表紙ＰＡの裏面に目次を印刷するべく、読取部１０１、或はネットワークから目次原稿のデータ取り込みを行うと同時に、インサータ１０４Ａからプリンタ部１０２への表紙ＰＡの給送を開始する。これにより、表紙ＰＡは中継パス１０７を経て搬送パス１０５へ搬送される。
【００６３】
ここで、制御手段１５１は、予め入力された情報に基づいて表紙ＰＡが挿入紙（挿入シート）であり（Ｓ５０１のＹ）、裏面に目次を印刷すると判断すると、即ち画像追加有り（Ｓ５０３のＹ）及び画像追加面が下面である（Ｓ５０４のＹ）と判断すると、表紙ＰＡを反転部２０４の通過パス２０３を経て画像形成部６２に搬送する。即ち、画像形成部６２へストレート搬送する（Ｓ５０５）。
【００６４】
なお、このとき表紙ＰＡは裏面が上を向いているので、この後、画像形成部６２において裏面に画像が形成される、即ち目次が印刷される（Ｓ５０７）。次に、このように裏面に目次が印刷された表紙ＰＡはシート搬送路６０を通過し、シート処理部１０３へ搬送され、サンプルトレイ８５にフェイスダウンの状態で排出される（Ｓ５０９）。
【００６５】
なお、このとき表紙ＰＡを搬送ローラ６６側へ一旦送り込んだ後にスイッチバックさせ、両面搬送パス６６’から再び画像形成部６２に搬送して表面に文字を重ねて印刷し、この後、再び搬送ローラ６６側へ一旦送り込んだ後にスイッチバックさせてサンプルトレイ８５にフェイスダウンの状態で排出することも可能である。
【００６６】
一方、表紙ＰＡを手差しトレイ３０１からフェイスアップにセットした場合は、表紙ＰＡは搬送ローラ１０６’により搬送パス１０５に搬送される。そして、制御手段１５１が、表紙ＰＡが挿入紙であり（Ｓ５０１のＹ）、裏面に目次を印刷すると判断すると（Ｓ５０３のＹ、Ｓ５０４のＹ）、反転ローラ２０５により反転パス２０２へ引き込み、反転ローラ２０５の逆転により表紙ＰＡをスイッチバックした後、即ち画像形成部６２へ搬送する前に反転させた後、画像形成部６２に搬送し（Ｓ５０６）、目次を印刷する（Ｓ５０７）。この後、シート処理部１０３へ搬送し、サンプルトレイ８５にフェイスダウンの状態で排出する（Ｓ５０９）。
【００６７】
（本文印刷）
本文印刷は、収納部５３，５４に収納したシートＳ１，Ｓ２を搬送パス５７を介して画像形成部６２に搬送することにより行う。このとき、制御手段１５１はシートＳ１，Ｓ２が挿入紙でないことを判断し（Ｓ５０１のＮ）、従来の画像形成工程を行う（Ｓ５０２）。
【００６８】
即ち、片面印刷の場合は、画像形成部６２でシートＳ１，Ｓ２の片面に画像を形成し、この後、シートＳ１，Ｓ２を、シート搬送路６０を通過させ、搬送ローラ６６側へ一旦送り込んだ後にスイッチバックさせてシート処理部１０３へ搬送し、サンプルトレイ８５にフェイスダウンの状態で排出する（Ｓ５０９）。
【００６９】
また、両面印刷の場合は、画像形成部６２で片面に画像を形成した後、シート搬送路６０を通過させ、搬送ローラ６６側へ一旦送り込んだ後、スイッチバックさせ、この後、両面搬送パス６６’から再び画像形成部６２に搬送し、次の面を印刷してから再び搬送ローラ６６側へ一旦送り込んだ後にスイッチバックさせてシート処理部１０３へ搬送し、サンプルトレイ８５にフェイスダウンの状態で排出する（Ｓ５０９）。
【００７０】
また、本文印刷はインサータ１０４ＤにセットしたシートＳを用いて行うことも可能である。この場合は、インサータ１０４ＤにセットしたシートＳを、中継パス１０７を介し、搬送パス１０５から反転部２０４の通過パス２０３を経てプリンタ部１０２に搬送する。なお、この後、制御手段１５１はシートＳが挿入紙でないと判断し（Ｓ５０１のＮ）、その後の工程を、上記シートＳ１、Ｓ２と同様に行う。
【００７１】
（合紙挿入）
インサータ１０４Ｃにセットした印刷済の合紙ＰＣを表紙ＰＡや本文の間に挿入する場合は、制御手段１５１が所定のタイミングでインサータ１０４Ｃから給送を開始し、これにより合紙ＰＣが中継パス１０７から搬送パス１０５へ搬送される。
【００７２】
ここで制御手段１５１は、合紙ＰＣが挿入紙であり（Ｓ５０１のＹ）、ユーザーの入力データから印刷の追加がないと判断すると（Ｓ５０３のＮ）、反転部２０４の通過パス２０３を経て画像形成部６２にストレート搬送する。そして、画像を形成することなくシート搬送路６０を通過させ、この後、シート処理部１０３へ搬送し、サンプルトレイ８５にフェイスダウンの状態で排出する（Ｓ５０９）。なお、このように画像形成を行う必要のない合紙ＰＣが通過する際、画像形成部６２の画像形成動作を制限することにより、時間の短縮を図ることができる。
【００７３】
（裏表紙印刷）
インサータ１０４Ｂにセットした裏表紙ＰＢの表面に後書き等を追加印刷すべく、読取部１０１、或はネットワークから目次原稿のデータ取り込みを行うと同時に、インサータ１０４Ｂから中継パス１０７、搬送パス１０５を経て反転部２０４への裏表紙ＰＢの給送を開始する。
【００７４】
ここで制御手段１５１は、裏表紙ＰＢが挿入紙であり（Ｓ５０１のＹ）、表面に後書き等を印刷すると判断すると（Ｓ５０３のＹ、Ｓ５０４のＮ）、反転部２０４の反転ローラ２０５により裏表紙ＰＢを反転パス２０２へ引き込み、この後、反転ローラ２０５の逆転により裏表紙ＰＢをスイッチバックした後、画像形成部６２に搬送し（Ｓ５０６）、即ち画像形成部６２の前で反転させた後、搬送して後書き等を印刷（画像形成）する（Ｓ５０７）。
【００７５】
次に、シート搬送路６０を通過させて搬送ローラ６６側へ一旦送り込んだ後にスイッチバックさせ（Ｓ５０８）、この後、裏表紙ＰＢをシート処理部１０３へ搬送し、サンプルトレイ８５にフェイスダウンの状態で排出する（Ｓ５０９）。
【００７６】
以上の工程を経ることで、所定のページ順でインサート紙（表紙ＰＡ，合紙ＰＣ及び裏表紙ＰＢ）と画像形成が完了したシートＳの束セットが得られる。この後、別工程で製本作業が行われ、一連の作業が完了する。
【００７７】
このように、操作部１５０による設定に基づき表紙ＰＡ及び裏表紙ＰＢがシート間に挿入される前に、表紙ＰＡ及び裏表紙ＰＢのうち、本実施の形態においては裏表紙ＰＢを反転手段２０４により反転させて画像を形成することにより、画像形成が可能で、かつページ順を変えることなく裏表紙ＰＢをシート間に挿入することができる。
【００７８】
つまり、本実施の形態によれば、表紙ＰＡや裏表紙ＰＢの片面に画像形成する時でも、インサータ１０４Ａ〜１０４Ｃにセットした挿入シートの出力時のページ順情報と画像形成工程の有無を操作部１５０に入力することにより、所望のページ順で出力シートの１つのセットを容易に得ることができる。
【００７９】
なお、本実施の形態のインサータ１０４Ｄのように他のインサータ１０４Ｂ〜１０４ＤをシートＳの収納部として機能させられることは明らかである。また、表紙ＰＡ及び裏表紙ＰＢをフェイスダウンで収納した場合は、上記と逆の制御を行うことにより、同様の効果を得ることができる。
【００８０】
次に、本発明の第２の実施の形態について説明する。
【００８１】
図３は本実施の形態に係る画像形成装置の一例である複写機の概略構成を示す図である。なお、同図において、図１と同一符号は、同一又は相当部分を示している。
【００８２】
同図において、１００２は複写機、２０４Ａは反転手段であり、本実施の形態においては、インサータ部１０４は、反転手段２０４Ａとシート処理部１０３との間に配され、読取部１０１と原稿積載トレイ５０を含むプリンタ部１０２はインサータ部１０４と反対側に配されている。即ち、プリンタ部１０２の下流にインサータ部１０４が設けられている。なお、このようにプリンタ部１０２を配した場合、手差しトレイ３０１はプリンタ部１０２の右側面に取付けられる。
【００８３】
ここで、反転手段２０４Ａは反転パス２０２と通過パス２０３と反転ローラ２０５に加え、搬送パス２０６と搬送ローラ２０６’を有している。また、インサータ部１０４は中継パス１０７の途中から分岐し、インサータ１０４Ｃ，１０４Ｄからのインサート紙を反転手段２０４Ａの反転パス２０２に合流させるための搬送パス１０８と搬送ローラ１０８’とを有している。
【００８４】
これにより、後述するように表紙ＰＡ、又は裏表紙ＰＢは搬送パス１０８と搬送ローラ１０８’を通過して機能上画像形成部６２の上流に位置する反転部を構成する反転手段２０４Ａにより反転して画像形成部６２に搬送されるようになる。
【００８５】
次に、このように構成された複写機１００２の画像形成動作及び製本動作について説明する。
【００８６】
まず、画像形成動作を行う前に、シートＳ１，Ｓ２を収納部５３，５４にセットし、インサータ１０４Ａ，１０４Ｂには、印刷済の合紙ＰＣを、またインサータ１０４Ｃにはカラーコピーされ、裏面に目次を印刷する表紙ＰＡをフェイスアップになるようにセットし、インサータ１０４Ｄには裏面が印刷済で表面に後書き等を追加印刷する裏表紙ＰＢをフェイスアップでセットする。
【００８７】
次にインサータ１０４Ｃにセットした表紙ＰＡの裏面（下面）にコピーする目次等の原稿Ｐを、読取部１０１の原稿積載トレイ５０にセットするか、ネットワークからのデータを取り込むよう操作部１５０から複写機１００２に対してユーザが所望の設定を行う。
【００８８】
なお、このとき、ユーザは収納部５３，５４とインサータ１０４Ａ〜１０４ＤにセットしたシートＳ、或はインサート紙について、それぞれ印刷面が上面、下面、両面、或は印刷不用か、を個別に操作部１５０からシステムの制御手段１５１に入力する。しかる後にユーザーが操作部１５０から動作開始を指定することで、画像形成処理動作を開始する。
【００８９】
次に、このときの動作を図４のフローチャートに沿って説明する。
【００９０】
（表紙印刷）
まず、ユーザからの指示に基づき、インサータ１０４Ｃの表紙ＰＡの裏面に目次を印刷するべく、読取部１０１、或はネットワークから目次原稿のデータ取り込みを行うと同時に、表紙ＰＡをインサータ１０４Ｃから中継パス１０７、搬送パス１０８と搬送ローラ１０８’、反転手段２０４Ａの通過パス２０３を介して通過パス２０３に連結されたプリンタ１０２の両面搬送パス６６’へ搬送する。
【００９１】
ここで制御手段１５１は、表紙ＰＡが挿入紙であり（Ｓ５０１のＹ）、裏面に目次を印刷すると判断すると（Ｓ５０３のＹ、Ｓ５０４のＹ）、画像形成部６２にストレート搬送し（Ｓ５０５）、裏面が上向きになった表紙ＰＡに目次を印刷する（Ｓ５０７）。
【００９２】
次に、このように裏面に目次が印刷された表紙ＰＡをシート搬送路６０、反転手段２０４Ａの搬送パス２０６と搬送ローラ２０６’、インサータ部１０４の搬送パス１０５を通過させた後、シート処理部１０３へ搬送し、サンプルトレイ８５にフェイスダウンの状態で排出する（Ｓ５０９）。
【００９３】
なお、このとき既述した第１の実施の形態と同様、表紙ＰＡを搬送ローラ６６側へ一旦送り込んだ後にスイッチバックさせ、両面搬送パス６６’から再び画像形成部６２に搬送して表面に文字を重ねて印刷し、この後、再び搬送ローラ６６側へ一旦送り込んだ後にスイッチバックさせて反転手段２０４Ａの搬送パス２０６と搬送ローラ２０６’、インサータ１０４の搬送パス１０５を通過させ、サンプルトレイ８５にフェイスダウンの状態で排出することも可能である。
【００９４】
一方、表紙ＰＡを手差しトレイ３０１からフェイスダウンにセットした場合は、表紙ＰＡは搬送ローラ６５’によりプリンタ部１０２に搬送される。そして、制御手段１５１が、表紙ＰＡが挿入紙であり（Ｓ５０１のＹ）、裏面に目次を印刷すると判断すると（Ｓ５０３のＹ、Ｓ５０４のＹ）、画像形成部６２にストレート搬送し（Ｓ５０５）、目次を印刷する（Ｓ５０７）。
【００９５】
次に、このように裏面に目次が印刷された表紙ＰＡをシート搬送路６０、反転手段２０４Ａの搬送パス２０６と搬送ローラ２０６’、インサータ部１０４の搬送パス１０５を通過させた後、シート処理部１０３へ搬送することで、サンプルトレイ８５にフェイスダウンの状態で排出することが可能となる。
【００９６】
なお、このように手差しトレイ３０１から挿入された表紙ＰＡを、反転手段２０４Ａを通過させること無くシート処理部１０３へ搬送することができるように構成することにより、表紙ＰＡが厚紙であってもジャム等を生じさせることなく画像形成及び搬送を行うことが可能になる。
【００９７】
（本文印刷）
本文印刷は、収納部５３，５４に収納したシートＳ１，Ｓ２を搬送パス５７を介して画像形成部６２に搬送することにより行う。このとき、制御手段１５１はシートＳ１，Ｓ２が挿入紙でないことを判断し（Ｓ５０１のＮ）、従来の画像形成工程を行う（Ｓ５０２）。
【００９８】
即ち、片面印刷の場合は、画像形成部６２でシートＳ１，Ｓ２の片面に画像を形成し、この後、シートＳ１，Ｓ２を、シート搬送路６０を通過させ、さらに反転手段２０４Ａの搬送パス２０６と搬送ローラ２０６’、インサータ部１０４の搬送パス１０５を通過させてシート処理部１０３へ搬送し、サンプルトレイ８５にフェイスダウンの状態で排出する（Ｓ５０９）。
【００９９】
また、両面印刷の場合は、画像形成部６２で片面に画像を形成した後、シート搬送路６０を通過させ、搬送ローラ６６側へ一旦送り込んだ後、スイッチバックさせ、この後、両面搬送パス６６’から再び画像形成部６２に搬送し、次の面を印刷してから再び搬送ローラ６６側へ一旦送り込んだ後にスイッチバックさせる。さらに、この後、反転手段２０４Ａの搬送パス２０６と搬送ローラ２０６’、インサータ部１０４の搬送パス１０５を通過させた後、シート処理部１０３へ搬送し、サンプルトレイ８５にフェイスダウンの状態で排出する（Ｓ５０９）。
【０１００】
また、本文印刷はシートＳをインサータ１０４Ｃ、或はインサータ１０４Ｄにセットして行うことも可能である。この場合には、インサータ１０４Ｄ（１０４Ｃも同じ）にセットしたシートＳを中継パス１０７を介し、搬送パス１０８と搬送ローラ１０８’、反転手段２０４Ａの通過パス２０３を介してプリンタ１０２の両面搬送パス６６’へ搬送する。なお、この場合、この後、制御手段１５１は、シートＳが挿入紙でないと判断し（Ｓ５０１のＮ）、従来の画像形成工程を行うことになる（Ｓ５０２）。
【０１０１】
（合紙挿入）
インサータ１０４Ａ，１０４Ｂにセットした印刷済の合紙ＰＣを表紙ＰＡや本文の間に挿入する場合は、制御手段１５１が所定のタイミングでインサータ１０４Ａ，１０４Ｂから給送を開始する。そして、本実施の形態において、合紙ＰＣは中継パス１０７から画像形成部６２を通らず、搬送パス１０５へ搬送される。
【０１０２】
即ち、制御手段１５１は、合紙ＰＣが挿入紙であり（Ｓ５０１のＹ）、ユーザーの入力データから印刷の追加がないと判断すると（Ｓ５０３のＮ）、そのままシート処理部１０３へ搬送し、サンプルトレイ８５にフェイスダウンの状態で排出する（Ｓ５０９）。
【０１０３】
なお、本実施の形態ではインサータ１０４Ｃ、或は１０４Ｄに印刷済の合紙ＰＣをセットすることも可能で、この場合、制御手段１５１は、合紙ＰＣが挿入紙であり（Ｓ５０１のＹ）、ユーザーの入力データから印刷の追加がないことを判断すると（Ｓ５０３のＮ）、図４の破線で示すように中継パス１０７から画像形成部６２を通らず、搬送パス１０５へ搬送し、直接シート処理部１０３へ搬送した後、サンプルトレイ８５にフェイスダウンの状態で排出することも可能である（Ｓ５０９）。
【０１０４】
（裏表紙印刷）
インサータ１０４Ｄにセットした裏表紙ＰＢの表面に後書き等を追加印刷すべく、読取部１０１、或はネットワークから目次原稿のデータ取り込みを行うと同時に、インサータ１０４Ｄからプリンタ部１０２への裏表紙ＰＢの給送を開始する。即ち、インサータ１０４Ｄにセットした裏表紙ＰＢを中継パス１０７を介し、搬送パス１０８と搬送ローラ１０８’へ搬送する。
【０１０５】
ここで制御手段１５１は、裏表紙ＰＢが挿入紙であり（Ｓ５０１のＹ）、表面に後書き等を印刷すると判断すると（Ｓ５０３のＹ、Ｓ５０４のＮ）、反転手段２０４Ａの反転ローラ２０５により反転パス２０２へ引き込み、反転ローラ２０５の逆転により裏表紙ＰＢをスイッチバックした後、プリンタ１０２の両面搬送パス６６’から画像形成部６２に搬送し（Ｓ５０６）、後書き等を印刷する（Ｓ５０７）。
【０１０６】
次に、シート搬送路６０を通過させて搬送ローラ６６側へ一旦送り込んだ後にスイッチバックさせ（Ｓ５０８）、この後、インサータ部１０４の搬送パス１０５を通過させてシート処理部１０３へ搬送し、サンプルトレイ８５にフェイスダウンの状態で排出する（Ｓ５０９）。
【０１０７】
以上の工程を経ることで、所定のページ順でインサート紙（表紙ＰＡ，合紙ＰＣ及び裏表紙ＰＢ）と画像形成が完了したシートＳの束セットが得られる。この後、第１の実施の形態と同様、別工程で製本作業が行われ、一連の作業が完了する。
【０１０８】
ここで、本実施の形態のように構成することにより、上記第１の実施の形態の効果に加え、合紙ＰＣのように画像形成の必要が無い場合には、或は表紙ＰＡや裏表紙ＰＢにおいても裏（表）に画像を形成する必要が無い場合には、画像形成部６２を通過させないようにすることができ、その分の制御、工程が不要になり、作業時間の短縮を図ることができる。
【０１０９】
次に、本発明の第３の実施の形態について説明する。
【０１１０】
図５は本実施の形態に係る画像形成装置の一例である複写機の概略構成を示す図である。なお、同図において、図３と同一符号は、同一又は相当部分を示している。
【０１１１】
同図において、１００３は複写機であり、本実施の形態においては、読取部１０１と原稿積載トレイ５０を含むプリンタ部１０２と、シート処理部１０３の間にインサータ部１０４を配置している。また、２０７は反転パス、２０８は反転ローラであり、この反転パス２０７と反転ローラ２０８は、画像形成部６２の上流の搬送パス５７と一体化されている。即ち、本実施の形態においては、この反転パス２０７と反転ローラ２０８により反転部が構成されている。
【０１１２】
また、本実施の形態においては、裏表紙ＰＢにのみ画像形成を形成するようにしており、さらにこの画像形成が必要な裏表紙ＰＢは収納部５３，５４の一方にセットするようにしている。
【０１１３】
次に、このように構成された複写機１００３の画像形成動作及び製本動作について説明する。
【０１１４】
まず、画像形成動作を行う前に、収納部５３には印刷済の裏表紙ＰＢをフェイスアップでセットし、収納部５４にはシートＳをセットする。また、インサータ１０４Ａには印刷済の表紙ＰＡをフェイスアップになるようにセットし、インサータ１０４Ｂ〜１０４Ｄには、印刷済の合紙ＰＣをフェイスアップでセットする。
【０１１５】
次に、収納部５３，５４とインサータ１０４Ａ〜１０４Ｄにセットした裏表紙ＰＢ、シートＳ、インサート紙について、それぞれ印刷面は上面、下面、両面、或は印刷不用か、を個別に操作部１５０から制御手段１５１に入力する。しかる後にユーザーが操作部１５０から動作開始を指定することで、画像形成処理動作を開始する。
【０１１６】
次に、このときの動作を図４のフローチャートに沿って説明する。
【０１１７】
（表紙印刷）
まず、ユーザからの指示に基づき、インサータ１０４Ａにセットした印刷済の表紙ＰＡを中継パス１０７に搬送する。ここで制御手段１５１は、表紙ＰＡが挿入紙であり（Ｓ５０１のＹ）、印刷が不用であることを判断すると（Ｓ５０３のＮ）、図４において破線で示すように、表紙ＰＡをインサータ部１０４の搬送パス１０５を通過させ、この後、シート処理部１０３へ搬送し、サンプルトレイ８５にフェイスダウンの状態で排出する（Ｓ５０９）。
【０１１８】
（本文印刷）
本文印刷は、収納部５４に収納したシートＳを搬送パス５７を介して画像形成部６２に搬送することにより行う。このとき、制御手段１５１はシートＳが挿入紙でないことを判断し（Ｓ５０１のＮ）、従来の画像形成工程を行う（Ｓ５０２）。
【０１１９】
即ち、片面印刷の場合は、画像形成部６２でシートＳの片面に画像を形成し、この後、シートＳを、シート搬送路６０を通過させ、さらにインサータ部１０４の搬送パス１０５を通過させてシート処理部１０３へ搬送し、サンプルトレイ８５にフェイスダウンの状態で排出する（Ｓ５０９）。
【０１２０】
また、両面印刷の場合は、画像形成部６２で片面に画像を形成した後、シート搬送路６０を通過させ、搬送ローラ６６側へ一旦送り込んだ後、スイッチバックさせ、この後、両面搬送パス６６’から再び画像形成部６２に搬送し、次の面を印刷してから再び搬送ローラ６６側へ一旦送り込んだ後にスイッチバックさせる。さらに、インサータ部１０４の搬送パス１０５を通過させた後、シート処理部１０３へ搬送し、サンプルトレイ８５にフェイスダウンの状態で排出する（Ｓ５０９）。
【０１２１】
（合紙挿入）
インサータ１０４Ｂ〜１０４Ｄにセットした印刷済の合紙ＰＣを表紙ＰＡや本文の間に挿入する場合は、制御手段１５１が所定のタイミングでインサータ１０４Ｂ〜１０４Ｄから給送を開始し、これにより合紙ＰＣは中継パス１０７、搬送パス１０５へ搬送される。
【０１２２】
ここで制御手段１５１は、合紙ＰＣが挿入紙であり（Ｓ５０１のＹ）、ユーザーの入力データから印刷の追加がないと判断すると（Ｓ５０３のＮ）、合紙ＰＣを、インサータ部１０４の搬送パス１０５を通過させ、この後、シート処理部１０３へ搬送し、サンプルトレイ８５にフェイスダウンの状態で排出する（Ｓ５０９）。
【０１２３】
（裏表紙印刷）
収納部５３にセットした裏表紙ＰＢの表面に後書き等を追加印刷するべく、読取部１０１、或はネットワークから目次原稿のデータ取り込みを行うと同時に、収納部５３から搬送パス５７への裏表紙ＰＢの給送を開始する。
【０１２４】
ここで制御手段１５１は、裏表紙ＰＢが挿入紙であり（Ｓ５０１のＹ）、表面に後書き等を印刷すると判断すると（Ｓ５０３のＹ、Ｓ５０４のＮ）、裏表紙ＰＢを反転ローラ２０８により反転パス２０７へ引き込んだ後、反転ローラ２０８の逆転により裏表紙ＰＢをスイッチバックさせ、この後、プリンタ１０２の画像形成部６２に搬送し、後書き等を印刷する（Ｓ５０６、Ｓ５０７）。
【０１２５】
次に、シート搬送路６０を通過させて搬送ローラ６６側へ一旦送り込んだ後に裏表紙ＰＢをスイッチバックさせて表裏を反転させた後（Ｓ５０８）、インサータ部１０４の搬送パス１０５を通過させ、この後、シート処理部１０３へ搬送し、サンプルトレイ８５にフェイスダウンの状態で排出する（Ｓ５０９）。
【０１２６】
以上の工程を経ることで、所定のページ順でインサート紙と画像形成が完了したシートＳの束セットが得られる。この後、上記第１の実施の形態と同様、別工程で製本作業が行われ、一連の作業が完了する。
【０１２７】
このように、本実施の形態によれば、裏表紙ＰＢを反転させる反転手段が、画像形成部６２の近傍の搬送パス５７と一体的に配置されていることで、上記第１の実施の形態の効果に加え、複写機１００３の小型化を図ることができる。
【０１２８】
次に、本発明の第４の実施の形態について説明する。
【０１２９】
図６は本実施の形態に係る画像形成装置の一例である複写機の概略構成を示す図である。なお、同図において、図１と同一符号は、同一又は相当部分を示している。
【０１３０】
同図において、１００４は複写機であり、本実施の形態においては、反転部を構成する反転パス２１０と反転ローラ２１１は、画像形成部６２の下部の両面搬送パス６６’と一体化している。また、反転手段２０４を読取部１０１を含むプリンタ部１０２とシート処理部１０３の間に分離着脱可能に設けている。
【０１３１】
次に、このように構成された複写機１００４の画像形成動作及び製本動作について説明する。
【０１３２】
まず、画像形成動作を行う前に、収納部５３にカラーコピーされ、裏面に目次を印刷する表紙ＰＡをフェイスアップになるようにセットし、収納部５４に裏面が印刷済で表面に後書き等を追加印刷する裏表紙ＰＢをフェイスアップでセットする。また、インサータ１０４Ａ，１０４Ｂには印刷済の合紙ＰＣ、インサータ１０４Ｃ，１０４Ｄには未印刷のシートＳをセットする。
【０１３３】
次に、収納部５３にセットした表紙ＰＡの裏面（下面）にコピーする目次等の原稿Ｐを、読取部１０１の原稿積載トレイ５０にセットするか、ネットワークからのデータを取り込むよう操作部１５０から画像形成装置１００４に対してユーザが所望の設定を行う。
【０１３４】
なお、このとき、ユーザは収納部５３，５４とインサータ１０４Ａ〜１０４Ｄにセットした表紙ＰＡ、裏表紙ＰＢ、シートＳ、或はインサート紙について、それぞれ印刷面は上面、下面、両面、或は印刷不用か、を個別に操作部１５０からシステムの制御手段１５１に入力する。しかる後にユーザーが操作部１５０から動作開始を指定することで、画像形成処理動作を開始する。
【０１３５】
次に、このときの動作を図２のフローチャートに沿って説明する。
【０１３６】
（表紙印刷）
まず、ユーザからの指示に基づき、収納部５３にセットした表紙ＰＡの裏面に目次を印刷するべく、読取部１０１、或はネットワークからで目次原稿のデータ取り込みを行うと同時に、表紙ＰＡを収納部５３から搬送パス５７への給送を開始する。
【０１３７】
ここで制御手段１５１は、表紙ＰＡが挿入紙であり（Ｓ５０１のＹ）、裏面に目次を印刷すると判断すると（Ｓ５０３のＹ、Ｓ５０４のＹ）、画像形成部６２にストレート搬送し（Ｓ５０５）、目次を印刷する（Ｓ５０７）。
【０１３８】
次に、裏面に目次が印刷された表紙ＰＡを、シート搬送路６０、反転部２０４の通過パス２０３を経てシート処理部１０３に搬送され、この後サンプルトレイ８５にフェイスダウンの状態で排出する（Ｓ５０９）。
【０１３９】
なお、このとき表紙ＰＡを搬送ローラ６６側へ一旦送り込んだ後にスイッチバックさせ、両面搬送パス６６’から再び画像形成部６２に搬送して表面に文字を重ねて印刷し、この後、再び搬送ローラ６６側へ一旦送り込んだ後にスイッチバックさせて反転部２０４の通過パス２０３を通過させてシート処理部１０３へ搬送し、サンプルトレイ８５にフェイスダウンの状態で排出することも可能である。
【０１４０】
一方、表紙ＰＡを手差しトレイ３０１からフェイスダウンにセットした場合は、搬送ローラ１０６’により搬送パス１０５に搬送される。そして、制御手段１５１が表紙ＰＡが挿入紙であり（Ｓ５０１のＹ）、裏面に目次を印刷すると判断すると（Ｓ５０３のＹ、Ｓ５０４のＹ）、画像形成部６２に搬送し（Ｓ５０６）、目次を印刷する（Ｓ５０７）。
【０１４１】
次に、このように裏面に目次が印刷された表紙ＰＡをシート搬送路６０、反転部２０４の通過パス２０３を通過させた後、シート処理部１０３へ搬送することでサンプルトレイ８５にフェイスダウンの状態で排出することが可能となる。これにより、反転部を通せない厚紙等の表紙ＰＡの対応も可能になる。
【０１４２】
（本文印刷）
本文印刷は、インサータ１０４Ｃ，１０４Ｄに収納したシートＳを、中継パス１０７、インサータ部１０４の搬送パス１０５を通過させ、画像形成部６２に搬送することにより行う。このとき、制御手段１５１はシートＳが挿入紙でないことを判断し（Ｓ５０１のＮ）、従来の画像形成工程を行う（Ｓ５０２）。
【０１４３】
即ち、片面印刷の場合は、画像形成部６２でシートＳの片面に画像を形成し、この後、シートＳを、シート搬送路６０を通過させ、さらに反転部２０４の通過パス２０３を通過させてシート処理部１０３へ搬送し、サンプルトレイ８５にフェイスダウンの状態で排出する（Ｓ５０９）。
【０１４４】
また、両面印刷の場合は、画像形成部６２で片面に画像を形成した後、シート搬送路６０を通過させ、搬送ローラ６６側へ一旦送り込んだ後、スイッチバックさせ、この後、両面搬送パス６６’から再び画像形成部６２に搬送し、次の面を印刷してから、反転部２０４の反転ローラ２０５により反転パス２０２へ引き込む。さらに、反転ローラ２０５の逆転により裏表紙ＰＢをスイッチバックさせた後、シート処理部１０３へ搬送し、サンプルトレイ８５にフェイスダウンの状態で排出する（Ｓ５０９）。
【０１４５】
（合紙挿入）
インサータ１０４Ａ，インサータ１０４Ｂにセットした印刷済の合紙ＰＣを表紙ＰＡや本文の間に挿入する場合は、制御手段１５１が所定のタイミングでインサータ１０４Ａ，インサータ１０４Ｂから給送を開始し、これにより合紙ＰＣは中継パス１０７、搬送パス１０５へ搬送される。
【０１４６】
ここで制御手段１５１は、合紙ＰＣが挿入紙であり（Ｓ５０１のＹ）、ユーザーの入力データから印刷の追加がないと判断すると（Ｓ５０３のＮ）、画像形成部６２にストレート搬送し、画像を形成することなく（Ｓ５１０）シート搬送路６０を通過させ、この後、反転部２０４の通過パス２０３を経て、シート処理部１０３へ搬送し、サンプルトレイ８５にフェイスダウンの状態で排出する（Ｓ５０９）。
【０１４７】
（裏表紙印刷）
収納部５４にセットした裏表紙ＰＢの表面に後書き等を追加印刷するべく、読取部１０１、或はネットワークから目次原稿のデータ取り込みを行うと同時に、裏表紙ＰＢを収納部５４から搬送パス５７へ搬送する。
【０１４８】
ここで制御手段１５１は、裏表紙ＰＢが挿入紙であり（Ｓ５０１のＹ）、表面に後書き等を印刷すると判断すると（Ｓ５０３のＹ、Ｓ５０４のＮ）、反転ローラ２１１により反転パス２１０へ引き込み、反転ローラ２１１の逆転により裏表紙ＰＢをスイッチバックした後、画像形成部６２に搬送し（Ｓ５０６）、後書き等を印刷する（Ｓ５０７）。
【０１４９】
次に、シート搬送路６０を通過させて反転部２０４の反転ローラ２０５により反転パス２０２へ引き込み、反転ローラ２０５の逆転により裏表紙ＰＢをスイッチバックした後（Ｓ５０８）、シート処理部１０３へ搬送し、サンプルトレイ８５にフェイスダウンの状態で排出する（Ｓ５０９）。
【０１５０】
以上の工程を経ることで、所定のページ順でインサート紙と画像形成が完了したシートＳの束セットが得られる。この後、別工程で製本作業が行われ、一連の作業が完了する。
【０１５１】
なお、本実施の形態のように、反転手段２０４をプリンタ部１０２とシート処理部１０３の間に分離着脱可能に設けることで、上記第１の実施の形態の効果に加え、複写機１００４の配置や機能の選択において、自由度を向上させることができる。また、インサート紙及びシートＳを両面搬送パス６６’でなく屈曲Ｒを大きく取れる反転手段２０４で反転させることが可能なため、挿入紙のカールを防止することが出来る。
【０１５２】
【発明の効果】
以上説明したように本発明のように、シートの間に挿入される前に、画像形成部により画像を形成する挿入シートのうち所定の挿入シートを選択的に反転させて画像形成部に搬送することにより、挿入シートへの画像形成が可能で、かつページ順を変えることなく挿入シートをシート間に挿入することができる。これにより、作業効率、使い勝手を向上させることができる。
【図面の簡単な説明】
【図１】
本発明の第１の実施の形態に係る画像形成装置の一例である複写機の概略構成を示す図。
【図２】
上記複写機の動作フローの概要を示すフローチャート。
【図３】
本発明の第２の実施の形態に係る画像形成装置の一例である複写機の概略構成を示す図。
【図４】
上記複写機の動作フローの概要を示すフローチャート。
【図５】
本発明の第３の実施の形態に係る画像形成装置の一例である複写機の概略構成を示す図。
【図６】
本発明の第４の実施の形態に係る画像形成装置の一例である複写機の概略構成を示す図。
【図７】
従来の画像形成装置の一例である複写機の全体構成を示す図。
【符号の説明】
６２　　　　画像形成部
１０３　　　シート処理部
１０４　　　インサータ部
１０４Ａ〜１０４Ｄインサータ
１５０　　　操作部
１５１　　　制御手段
２０４　　　反転手段
２０４Ａ　　反転手段
２０７　　　反転パス
２０８　　　反転ローラ
２１０　　　反転パス
２１１　　　反転ローラ
１００１〜１００４複写機
ＰＡ　　　　表紙
ＰＢ　　　　裏表紙
ＰＣ　　　　合紙
【図１】
2004026323.tif 000003
【図２】
2004026323.tif 000004
【図３】
2004026323.tif 000005
【図４】
2004026323.tif 000006
【図５】
2004026323.tif 000007
【図６】
2004026323.tif 000008
【図７】
2004026323.tif 000009